Podtech/llm-jp-corpus-v4-ja_patent huggingface dataset:
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
チャンバと、
前記チャンバ内に設けられた下部電極を含む基板支持器と、
前記基板支持器の上方に設けられた上部電極と、
前記チャンバ内でプラズマを生成するように構成された高周波電源と、
前記上部電極に電気的に接続された直流電源装置と、
を備え、
前記直流電源装置は、パルス状の負極性の直流電圧を周期的に発生するように構成されており、
前記直流電源装置の出力電圧は、繰り返される周期の各々における第１の期間では、前記パルス状の負極性の直流電圧であり、前記周期の各々における残りの第２の期間では、ゼロボルトであり、
前記周期の逆数である周波数は、４００ｋＨｚ以上、１ＭＨｚ以下である、
プラズマ処理装置。
【請求項２】
前記周期において第１の期間が占める割合は、２０％以上、６０％以下である、請求項１に記載のプラズマ処理装置。
【請求項３】
前記直流電源装置からのエネルギーを伝達する回路のグランド電極は、前記チャンバの導電性の壁部のみである、請求項１又は２に記載のプラズマ処理装置。
【請求項４】
前記プラズマを生成するために前記高周波電源によって生成される高周波電力は、前記周期において一定に維持される、請求項１〜３の何れか一項に記載のプラズマ処理装置。
【請求項５】
請求項１〜４の何れか一項に記載のプラズマ処理装置を用いたプラズマ処理方法であって、
前記チャンバ内でプラズマを生成するために前記高周波電源から高周波電力を供給する工程と、
前記プラズマの生成中に前記直流電源装置から周期的に前記パルス状の負極性の直流電圧を前記上部電極に印加する工程と、
を含み、
前記直流電源装置の出力電圧は、繰り返される周期の各々における第１の期間では、前記パルス状の負極性の直流電圧であり、前記周期の各々における残りの第２の期間では、ゼロボルトである、
プラズマ処理方法。
【請求項６】
前記プラズマを生成するために前記高周波電源によって生成される高周波電力は、前記周期において一定に維持される、請求項５に記載のプラズマ処理方法。
【手続補正２】
【補正対象書類名】明細書
【補正対象項目名】００１６
【補正方法】変更
【補正の内容】
【００１６】
図１は、一つの例示的実施形態に係るプラズマ処理装置を概略的に示す図である。図１に示すプラズマ処理装置１は、容量結合型プラズマ処理装置である。プラズマ処理装置１は、チャンバ１０を備えている。チャンバ１０は、その中に内部空間１０ｓを提供している。
【手続補正３】
【補正対象書類名】明細書
【補正対象項目名】００２４
【補正方法】変更
【補正の内容】
【００２４】
プラズマ処理装置１は、ガス供給ライン２４を更に備え得る。ガス供給ライン２４は、伝熱ガス（例えばＨｅガス）を、静電チャック２０の上面と基板Ｗの裏面との間に供給する。伝熱ガスは、伝熱ガス供給機構からガス供給ライン２４に供給される。
【手続補正４】
【補正対象書類名】明細書
【補正対象項目名】００３１
【補正方法】変更
【補正の内容】
【００３１】
プラズマ処理装置１は、第１の高周波電源６２及び第２の高周波電源６４を更に備えている。第１の高周波電源６２は、第１の高周波電力を発生する電源である。第１の高周波電力は、一例では、プラズマの生成に適した周波数を有する。第１の高周波電力の周波数は、例えば２７ＭＨｚ〜１００ＭＨｚの範囲内の周波数である。第１の高周波電源６２は、整合器６６を介して上部電極３０に接続されている。整合器６６は、第１の高周波電源６２の出力インピーダンスと負荷側（上部電極３０側）のインピーダンスを整合させるための回路を有している。なお、第１の高周波電源６２は、整合器６６を介して、下部電極１８に接続されていてもよい。
【手続補正５】
【補正対象書類名】明細書
【補正対象項目名】００３３
【補正方法】変更
【補正の内容】
【００３３】
プラズマ処理装置１は、直流電源装置７０を更に備えている。直流電源装置７０は、上部電極３０に電気的に接続されている。直流電源装置７０は、パルス状の負極性の直流電圧を周期的に発生するように構成されている。図２は、図１に示すプラズマ処理装置の直流電源装置の構成の一例を示す図である。図３は、一つの例示的実施形態に係るプラズマ処理装置を用いて実行されるプラズマ処理のタイミングチャートである。図３において、横軸は時間を示している。図３において縦軸は、チャンバ１０内に供給されるガスの流量、高周波電力（第１の高周波電力及び／又は第２の高周波電力）の供給、及び直流電圧を示している。図３において、高周波電力が高レベルであることは、高周波電力が供給されていることを表している。図３において、高周波電力が低レベルであることは、高周波電力が供給されていないことを表している。以下、図１と共に、図２及び図３を参照する。
【手続補正６】
【補正対象書類名】明細書
【補正対象項目名】００３６
【補正方法】変更
【補正の内容】
【００３６】
一実施形態において、周期ＰＴの逆数である周波数ｆは、４００ｋＨｚ以上であり得る。一実施形態において、周波数ｆは、１ＭＨｚ以下であり得る。周波数ｆが１ＭＨｚ以下である場合には、チャンバ１０内でのラジカルの生成に対するイオンの挙動の独立制御性が高くなる。一実施形態において、周期ＰＴにおいて第１の期間Ｐ１が占める割合（即ち、パルス状の負極性の直流電圧のデューティー比）は、２０％以上、６０％以下であり得る。
【手続補正７】
【補正対象書類名】明細書
【補正対象項目名】００５３
【補正方法】変更
【補正の内容】
【００５３】
第３の実験及び第４の実験では、第１の工程及び第２の工程の各々の実行中に上部電極３０に流れる直流電流を測定した。その結果を図７の（ａ）及び図７の（ｂ）に示す。図７の（ａ）において、横軸は時間を示しており、縦軸は第３の実験において上部電極３０に流れた直流電流を示している。図７の（ｂ）において、横軸は時間を示しており、縦軸は第４の実験において上部電極３０に流れた直流電流を示している。図７の（ｂ）に示すように、第２の工程において直流電圧を連続的に上部電極３０に印加した第４の実験では第１の工程と第２の工程の繰り返し回数の増加に伴って、第２の工程で上部電極３０に流れる直流電流が大きく変動していた。一方、図７の（ａ）に示すように、第２の工程においてパルス状の負極性の直流電圧を周期的に上部電極３０に印加した第３の実験では第１の工程と第２の工程の繰り返し回数に略依存せず、第２の工程で上部電極３０に流れる直流電流が安定していた。したがって、直流電源装置からパルス状の負極性の直流電圧を周期的に上部電極に印加することにより、直流電源装置からのエネルギー伝達に対するプラズマ処理装置の部品の電気的特性の影響が抑制されることが確認された。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
細胞担持面を有するポリスチレンを主成分とする細胞担持用基材の製造方法であって，
加湿環境下，酸素及び／又はオゾン供給雰囲気中で，前記基材の細胞担持面にＵＶを照射するＵＶ照射工程，及び
前記基材の細胞担持面にプラズマを照射するプラズマ照射工程
を含む方法。
【請求項２】
ＵＶ照射工程の後にプラズマ照射工程を行うことを特徴とする，請求項１に記載の細胞担持用基材の製造方法。
【請求項３】
プラズマ照射工程の後にＵＶ照射工程を行うことを特徴とする，請求項１に記載の細胞担持用基材の製造方法。
【請求項４】
ＵＶ照射工程とプラズマ照射工程を同時に行うことを特徴とする，請求項１に記載の細胞担持用基材の製造方法。
【請求項５】
前記ＵＶ照射が，平均波長１８４．９ｎｍ及び２５３．７ｎｍのＵＶを照射することにより行われることを特徴とする，請求項１〜請求項４のいずれか１項に記載の細胞担持用基材の製造方法。
【請求項６】
前記ＵＶ照射が，前記細胞担持面の水接触角が４０〜７０°となるまでの間行われることを特徴とする，請求項１〜請求項５のいずれか１項に記載の細胞担持用基材の製造方法。
【請求項７】
さらに，ＵＶ照射工程の前に，該細胞担持面にアンモニア溶液を塗布する工程を備える，請求項１〜請求項６のいずれか１項に記載の製造方法。
【請求項８】
接着細胞の培養方法であって，請求項１〜請求項７のいずれか１項に記載の製造方法により得られた細胞担持用基材の細胞担持面上で細胞を培養することを含む培養方法。
【請求項９】
前記接着細胞が幹細胞である，請求項８に記載の培養方法。
【請求項１０】
前記幹細胞が，マウスｉＰＳ細胞又はヒトｉＰＳ細胞である，請求項９に記載の培養方法。
【請求項１１】
フィーダー細胞の非存在下で培養することを特徴とする，請求項９又は請求項１０に記載の培養方法。
【請求項１２】
細胞担持面を有するポリスチレンを主成分とする細胞担持用基材を格納するための格納部と，該格納部に格納された前記細胞担持用基材に対して紫外線を照射可能な紫外線照射手段と，該格納部に格納された細胞担持用基材に対して窒素プラズマを照射可能なプラズマ照射手段と，前記細胞担持用基材格納部内の湿度を制御可能な加湿手段と，前記細胞担持用基材格納部内のオゾン濃度を制御可能な酸素又はオゾン供給手段を有する細胞担持用基材表面改質装置。
【請求項１３】
更に，前記細胞担持用基材の細胞担持面に対してアンモニア溶液を塗布可能なアンモニア溶液塗布手段を備える，請求項１２に記載の細胞担持用基材表面改質装置。
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
送信局における方法であって、
前記送信局の複数のアンテナを介して受信局に送信するためのペイロードデータを生成するステップと、
前記ペイロードデータを送信するために、いくつかの送信ストリームを選択するステップと、
前記送信ストリームのそれぞれについて、それぞれの変調方式を選択するステップと、
前記変調方式と、（ｉ）単一符号化モードおよび（ｉｉ）ストリーム毎符号化モードのうちのアクティブなモードとに応じて、前記いくつかの符号化変調送信ストリームを生成するステップであって、
前記単一符号化モードおよび前記ストリーム毎符号化モードのうちの前記アクティブなモードがストリーム毎符号化モードである場合、
いくつかの非符号化送信ストリームを生成するために前記ペイロードデータをストリームパーサに提供し、
いくつかの符号化送信ストリームを生成するために、前記非符号化送信ストリームを各符号器に供給し、
前記符号化変調送信ストリームを生成するために、前記符号化送信ストリームを各変調器に供給する、
ことによって前記符号化変調送信ストリームを生成し、
各符号化変調送信ストリームが前記ペイロードデータの一部を含む、ステップと、
前記受信局に送信するために前記符号化変調送信ストリームを前記各アンテナに提供するステップと、
を備える、方法。
【請求項２】
前記単一符号化モードおよび前記ストリーム毎符号化モードのうちの前記アクティブなモードが前記単一符号化モードである場合、
符号化されたペイロードデータを生成するために前記ペイロードデータを単一符号器に供給するステップと、
前記符号化されたペイロードデータを前記いくつかの符号化送信ストリームを生成するためにストリームパーサに供給するステップと、
前記符号化変調送信ストリームを生成するために、前記符号化送信ストリームを各変調器に供給するステップと、
をさらに備える、請求項１に記載の方法。
【請求項３】
前記送信局は、単一符号器のみを含み、前記単一符号化モードが、前記単一符号化モードおよび前記ストリーム毎符号化モードのうちの前記アクティブなモードとして予め設定される、請求項１に記載の方法。
【請求項４】
前記単一符号化モードおよび前記ストリーム毎符号化モードのうちの前記アクティブなモードのインジケータを含むヘッダデータを前記ペイロードデータと連結するステップ、をさらに備える、請求項１に記載の方法。
【請求項５】
複数のアンテナと、
前記複数のアンテナに接続するコントローラと、
を備え、
前記コントローラが、
前記複数のアンテナを介して受信局に送信するためのペイロードデータを生成し、
前記ペイロードデータを送信するために、いくつかの送信ストリームを選択し、
前記送信ストリームのそれぞれについて、各変調方式を選択し、
前記変調方式と、（ｉ）単一符号化モードおよび（ｉｉ）ストリーム毎符号化モードのうちのアクティブなモードとに応じて、前記単一符号化モードおよび前記ストリーム毎符号化モードのうちの前記アクティブなモードがストリーム毎符号化モードである場合、それぞれが前記ペイロードデータの一部を含む前記いくつかの符号化変調送信ストリームを生成するために、
いくつかの非符号化送信ストリームを生成するために前記ペイロードデータをストリームパーサに提供し、
いくつかの符号化送信ストリームを生成するために、前記非符号化送信ストリームを各符号器に供給し、
前記符号化変調送信ストリームを生成するために、前記符号化送信ストリームを各変調器に供給し、
前記受信局に送信するために前記符号化変調送信ストリームを前記各アンテナに提供する、
よう構成される、送信局。
【請求項６】
前記コントローラが、前記単一符号化モードおよび前記ストリーム毎符号化モードのうちの前記アクティブなモードが前記単一符号化モードである場合に、
符号化されたペイロードデータを生成するために前記ペイロードデータを単一符号器に供給し、
前記符号化されたペイロードデータを前記いくつかの符号化送信ストリームを生成するためにストリームパーサに供給し、
前記符号化変調送信ストリームを生成するために、前記符号化送信ストリームを各変調器に供給するようさらに構成される、
請求項５に記載の送信局。
【請求項７】
前記送信局が、単一符号器のみを含み、前記単一符号化モードが、前記単一符号化モードおよび前記ストリーム毎符号化モードのうちの前記アクティブなモードとして予め設定される、請求項５に記載の送信局。
【請求項８】
前記コントローラが、前記単一符号化モードおよび前記ストリーム毎符号化モードのうちの前記アクティブなモードのインジケータを含むヘッダデータを前記ペイロードデータと連結するようさらに構成される、
請求項５に記載の送信局。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
光子の受光頻度に応じた頻度でパルスを発するセンサ部がそれぞれ備えられた複数の画素と、
前記センサ部から発せられる前記パルスの数をカウントする第１のカウンタと、
外部から周期信号の供給を受けるインターフェースと、
単位時間あたりに検出される前記パルスの数の変化が閾値より大きい場合に、前記第１のカウンタのカウント値に応じた信号を出力する出力部と、を備え、
前記第１のカウンタは、前記周期信号に基づいてリセットされることを特徴とする固体撮像素子。
【請求項２】
前記出力部は、前記単位時間あたりに検出される前記パルスの数の変化が前記閾値以下の場合には、前記第１のカウンタのカウント値に応じた信号を出力しないことを特徴とする請求項１に記載の固体撮像素子。
【請求項３】
前記第１のカウンタのカウント値を記憶する第１のラッチ部と、
前記第１のカウンタのカウント値を記憶する第２のラッチ部とを更に備え、
前記第１のラッチ部と前記第２のラッチ部とは、前記第１のカウンタのカウント値を前記単位時間の周期に基づいて交互に記憶し、
前記出力部は、前記第１のラッチ部に記憶されたカウント値と前記第２のラッチ部に記憶されたカウント値との差分が前記閾値より大きい場合に、前記第１のカウンタのカウント値に応じた信号を出力することを特徴とする請求項１又は２に記載の固体撮像素子。
【請求項４】
前記センサ部から発せられる前記パルスの数をカウントする第２のカウンタと、
前記第２のカウンタのカウント値を記憶する第１のラッチ部と、
前記第２のカウンタのカウント値を記憶する第２のラッチ部とを更に備え、
前記第２のカウンタは、前記周期信号に基づいてリセットされ、
前記第１のラッチ部と前記第２のラッチ部とは、前記第２のカウンタのカウント値を前記単位時間の周期に基づいて交互に記憶し、
前記出力部は、前記第１のラッチ部に記憶されたカウント値と前記第２のラッチ部に記憶されたカウント値との差分が前記閾値より大きい場合に、前記第１のカウンタのカウント値に応じた信号を出力することを特徴とする請求項１又は２に記載の固体撮像素子。
【請求項５】
前記第２のカウンタのビット幅は、前記第１のカウンタのビット幅よりも小さいことを特徴とする請求項４に記載の固体撮像素子。
【請求項６】
前記出力部は、前記第１のラッチ部に記憶されたカウント値と前記第２のラッチ部に記憶されたカウント値との差分が前記閾値より大きくなった際の時間に関する情報を、前記第１のカウンタのカウント値に応じた信号とともに出力することを特徴とする請求項４又は５に記載の固体撮像素子。
【請求項７】
前記センサ部から発せられる前記パルスの数をカウントする第２のカウンタと、
前記第２のカウンタのカウント値を記憶する第１のラッチ部と、
前記第２のカウンタのカウント値を記憶する第２のラッチ部とを更に備え、
前記第２のカウンタは、前記周期信号に基づいてリセットされ、
前記第１のラッチ部と前記第２のラッチ部とは、前記第２のカウンタのカウント値を前記単位時間の周期に基づいて交互に記憶し、
前記第１のカウンタは、前記周期信号の周期に基づいてリセットする第１のリセット動作と、前記第１のラッチ部に記憶されたカウント値と前記第２のラッチ部に記憶されたカウント値との差分が前記閾値より大きくなったときにリセットする第２のリセット動作によりリセットされ、
前記出力部は、前記第１のカウンタが、前記第１のリセット動作によりリセットされた後、最初に前記第２のリセット動作によりリセットされてから、次に前記第１のリセット動作または前記第２のリセット動作によりリセットされるまでの前記第１のカウンタのカウント値に応じた信号を出力することを特徴とする請求項１に記載の固体撮像素子。
【請求項８】
前記第２のカウンタのビット幅は、前記第１のカウンタのビット幅よりも小さいことを特徴とする請求項７に記載の固体撮像素子。
【請求項９】
前記出力部は、前記第１のカウンタが、前記第１のリセット動作によりリセットされた後、最初に前記第２のリセット動作によりリセットされてから、次に前記第１のリセット動作または前記第２のリセット動作によりリセットされるまでの時間に関する情報を、前記第１のカウンタのカウント値に応じた信号とともに出力することを特徴とする請求項７又は８に記載の固体撮像素子。
【請求項１０】
前記出力部は、前記第１のカウンタが備えられた前記画素の座標を示す信号を、前記第１のカウンタのカウント値に応じた信号とともに出力することを特徴とする請求項１から９のいずれか１項に記載の固体撮像素子。
【請求項１１】
前記複数の画素の各々に前記第１のカウンタが備えられていることを特徴とする請求項１から１０のいずれか１項に記載の固体撮像素子。
【請求項１２】
前記センサ部は、アバランシェフォトダイオードを備えることを特徴とする請求項１から１１のいずれか１項に記載の固体撮像素子。
【請求項１３】
請求項１乃至１２のいずれか１項に記載の固体撮像素子と、
前記固体撮像素子から出力される信号を用いて所定の画像処理を行う画像処理部と
を備えることを特徴とする撮像装置。
【請求項１４】
前記画像処理部は、前記固体撮像素子から出力される信号を用いて、既に取得した画像の一部を更新することを特徴とする請求項１３に記載の撮像装置。
【請求項１５】
外部から周期信号の供給を受けるステップと、
光子の受光頻度に応じた頻度でパルスを発するセンサ部がそれぞれ備えられた複数の画素から、各画素の前記センサ部から発せられるパルスの単位時間あたりの数の変化が閾値より大きい場合に、前記センサ部から発せられるパルスの数をカウントするカウンタのカウント値に応じた信号を出力するステップと、
前記カウンタのカウント値に応じた信号を用いて所定の画像処理を行うステップと、を備え、
前記カウンタは、前記周期信号に基づいてリセットされることを特徴とする撮像方法。
【手続補正２】
【補正対象書類名】明細書
【補正対象項目名】０００６
【補正方法】変更
【補正の内容】
【０００６】
実施形態の一観点によれば、光子の受光頻度に応じた頻度でパルスを発するセンサ部がそれぞれ備えられた複数の画素と、前記センサ部から発せられる前記パルスの数をカウントする第１のカウンタと、外部から周期信号の供給を受けるインターフェースと、単位時間あたりに検出される前記パルスの数の変化が閾値より大きい場合に、前記第１のカウンタのカウント値に応じた信号を出力する出力部と、を備え、前記第１のカウンタは、前記周期信号に基づいてリセットされることを特徴とする固体撮像素子が提供される。
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
少なくとも部分的に聴覚機器の装着者の外耳道内に配置されるように構成された前記聴覚機器のための装置であって、前記装置は
前記装置を備えた前記聴覚機器が少なくとも部分的に前記外耳道内に配置されたときに、前記外耳道を密閉するように構成された密閉要素を備え、
前記密閉要素の動作は電気制御信号によって制御され、
前記密閉要素は少なくとも部分的に電気活性材料から作られ、
前記密閉要素の前記電気活性材料の音響インピーダンスは、印加電界の関数として変化し、
前記印加電界は、前記電気制御信号の特性に基づく、装置。
【請求項２】
前記電気活性材料は、エラストマーを含む、請求項１に記載の装置。
【請求項３】
前記電気活性材料は、膜として形成される、請求項１に記載の装置。
【請求項４】
前記膜形状の電気活性材料と少なくとも部分的に重なるポリマー層をさらに備える、請求項３に記載の装置。
【請求項５】
前記ポリマー層はシリコーンで作られる、請求項４に記載の装置。
【請求項６】
前記聴覚機器が少なくとも部分的に前記外耳道内に配置されるとき、前記ポリマー層は前記外耳道に面するように配置される、請求項４に記載の装置。
【請求項７】
前記膜形状の電気活性材料および前記ポリマー層のうちの少なくとも一方は、少なくとも１つの穿孔を有する、請求項４に記載の装置。
【請求項８】
前記少なくとも１つの穿孔の総音響質量は５０００ｋｇ／ｍ４を超える、請求項７に記載の装置。
【請求項９】
前記電気活性材料は、カーボンナノチューブを含む、請求項１に記載の装置。
【請求項１０】
前記印加電界の電圧は、０Ｖから１．５Ｖの範囲である、請求項９に記載の装置。
【請求項１１】
前記電気活性材料は、第１の状態において、第１の音響インピーダンスを有し、第２の状態において、第２の音響インピーダンスを有し、
前記第１の音響インピーダンスは、前記第２の音響インピーダンスよりも大きい、請求項１に記載の装置。
【請求項１２】
前記電気活性材料の前記音響インピーダンスを調整するために前記密閉要素の動作を制御する前記電気制御信号は、外部音声に関する情報を含む第１の電気信号に基づく、請求項１に記載の装置。
【請求項１３】
前記電気活性材料の前記音響インピーダンスを調整するために前記密閉要素の動作を制御する前記電気制御信号は、前記外耳道の密閉された部分で生成される音声に関する情報を含む第２の電気信号に基づく、請求項１に記載の装置。
【請求項１４】
前記聴覚機器の前記装着者が話しているかどうかを検出するように構成された検出器をさらに備え、
前記検出器は、検出された音声に応答して検出器電気信号を出力するように構成され、
前記電気活性材料の前記音響インピーダンスを調整するために前記密閉要素の動作を制御する前記電気制御信号は、前記検出器電気信号に基づく、請求項１に記載の装置。
【請求項１５】
請求項１に記載の装置を備えた聴覚機器。
【請求項１６】
前記電気制御信号を提供するように構成された信号プロセッサをさらに備える、請求項１５に記載の聴覚機器。
【請求項１７】
イヤピースを備え、
前記密閉要素は前記イヤピースの一部である、請求項１５に記載の聴覚機器。
【請求項１８】
前記イヤピースは１つまたは複数の開口部を備え、
前記密閉要素は前記１つまたは複数の開口部を覆う、請求項１７に記載の聴覚機器。
【請求項１９】
前記電気制御信号を提供するように構成された信号プロセッサをさらに備える、請求項１に記載の装置。
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
外枠に対して開閉可能な本体枠と、該本体枠に設けられ、遊技球が流下可能な遊技領域が形成された遊技盤とを備え、前記遊技領域に、遊技球の入球により賞球を付与する入賞口と、賞球を付与しないアウト口とを設け、前記遊技領域を流下した遊技球を前記本体枠に設けられる排出通路を介して外部に排出する遊技機において、
前記入賞口に入球した遊技球を検出可能な入賞センサ部と、
前記本体枠における前記排出通路に設けられ、前記入賞口に入球せずに前記アウト口に入球した遊技球を検出可能な排出センサ部と、
前記入賞センサ部の検出結果と、前記排出センサ部の検出結果とを用いて入賞割合に関する所定の演算を行う演算手段と、
前記演算の結果を外部から認識しうる特別情報として表示する特別情報表示手段と、
当該遊技機の状態を判定する判定手段と、を備え、
前記判定手段として、
前記本体枠が開放状態にされることを含む特定の管理者行為が行われたことを判定する手段を有し、
前記本体枠が開放状態にされることを含む特定の管理者行為が行われた場合には、前記入賞口あるいは前記アウト口に遊技球が入球したとしても前記演算が行われない非演算状態になり、
前記本体枠が開放状態にされることを含む特定の管理者行為が行われたことが判定されてから所定の解除条件が成立するまでの間、前記非演算状態とされるものであり、
前記特別情報表示手段は、当該遊技機の裏面側に設けられ、前記非演算状態とされる間は、前記演算が行われる状態では表示されない所定の表示を行うものであり、
さらに、当該遊技機に供給された遊技球を遊技に使用することなく遊技機外部に排出する別排出手段を備え、
前記別排出手段によって排出された遊技球は前記排出センサ部に検出されないように構成されてなる
ことを特徴とする遊技機。
【手続補正２】
【補正対象書類名】明細書
【補正対象項目名】０００２
【補正方法】変更
【補正の内容】
【０００２】
従来、始動口への入賞に基づいて抽選を行うとともに、表示装置に表示される図柄を変動表示した後に抽選結果に応じて図柄を停止させ、大当り図柄で停止されると遊技者に有利な大当り遊技状態を発生させる遊技機がある。（例えば特許文献１）
【手続補正３】
【補正対象書類名】明細書
【補正対象項目名】０００３
【補正方法】削除
【補正の内容】
【手続補正４】
【補正対象書類名】明細書
【補正対象項目名】０００５
【補正方法】変更
【補正の内容】
【０００５】
しかしながら、従来の遊技機では、不具合等に対する十分な対策が施されておらず、遊技機の信頼性が低下してしまう虞があった。
【手続補正５】
【補正対象書類名】明細書
【補正対象項目名】０００６
【補正方法】変更
【補正の内容】
【０００６】
そこで、本発明は、上記の実情に鑑み、信頼性の高い遊技機の提供を課題とするものである。
【手続補正６】
【補正対象書類名】明細書
【補正対象項目名】０００７
【補正方法】変更
【補正の内容】
【０００７】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
上記した目的を達成するために、請求項１に係る発明においては、
外枠に対して開閉可能な本体枠と、該本体枠に設けられ、遊技球が流下可能な遊技領域が形成された遊技盤とを備え、前記遊技領域に、遊技球の入球により賞球を付与する入賞口と、賞球を付与しないアウト口とを設け、前記遊技領域を流下した遊技球を前記本体枠に設けられる排出通路を介して外部に排出する遊技機において、
前記入賞口に入球した遊技球を検出可能な入賞センサ部と、
前記本体枠における前記排出通路に設けられ、前記入賞口に入球せずに前記アウト口に入球した遊技球を検出可能な排出センサ部と、
前記入賞センサ部の検出結果と、前記排出センサ部の検出結果とを用いて入賞割合に関する所定の演算を行う演算手段と、
前記演算の結果を外部から認識しうる特別情報として表示する特別情報表示手段と、
当該遊技機の状態を判定する判定手段と、を備え、
前記判定手段として、
前記本体枠が開放状態にされることを含む特定の管理者行為が行われたことを判定する手段を有し、
前記本体枠が開放状態にされることを含む特定の管理者行為が行われた場合には、前記入賞口あるいは前記アウト口に遊技球が入球したとしても前記演算が行われない非演算状態になり、
前記本体枠が開放状態にされることを含む特定の管理者行為が行われたことが判定されてから所定の解除条件が成立するまでの間、前記非演算状態とされるものであり、
前記特別情報表示手段は、当該遊技機の裏面側に設けられ、前記非演算状態とされる間は、前記演算が行われる状態では表示されない所定の表示を行うものであり、
さらに、当該遊技機に供給された遊技球を遊技に使用することなく遊技機外部に排出する別排出手段を備え、
前記別排出手段によって排出された遊技球は前記排出センサ部に検出されないように構成されてなる
ことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明の遊技機においては、信頼性の高い遊技機を提供することができる。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
所定の発射操作により発射された遊技球が遊技盤に設けた始動口に入球することに基づいて当落抽選を行い、該当落抽選の結果に基づいて特別図柄の変動表示を行い、前記当落抽選に当選にして前記特別図柄が所定態様で停止表示すると、所定の利益を付与する遊技機において、
前記当落抽選における当選確率に関する設定値を表示可能な設定値表示手段と、
当該遊技機の電源が投入された際に所定条件が成立した場合に、前記設定値を決定可能な設定モードを発生させる設定モード発生手段と、
前記設定値が新たに決定されることで、前記当落抽選を含んだ遊技の進行を可能にする遊技進行可能化手段と、
を備え、
前記設定値が未確定の状態にて当該遊技機の電源が遮断された場合には、前記設定値が未確定の状態に復帰可能であり、
さらに、当該遊技機の電源が投入された際に所定のクリア操作が行われた場合に、前記設定モードを開始することなく所定の情報をクリアする通常クリア手段を備えた
ことを特徴とする遊技機。
【手続補正２】
【補正対象書類名】明細書
【補正対象項目名】０００４
【補正方法】変更
【補正の内容】
【０００４】
また、近年では設定値を搭載した遊技機等、多種多様な遊技性を持った遊技機が多数提案されており、従来の遊技機とは不正行為やエラーの態様も異なる。そのため、新たな不正行為や不具合に対して十分な対策が施されておらず、遊技機の信頼性が低下してしまう虞があった。
【手続補正３】
【補正対象書類名】明細書
【補正対象項目名】０００５
【補正方法】変更
【補正の内容】
【０００５】
本発明は、上記の実情に鑑み、信頼性の高い遊技機の提供を課題とするものである。
【手続補正４】
【補正対象書類名】明細書
【補正対象項目名】０００６
【補正方法】変更
【補正の内容】
【０００６】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
上記した目的を達成するために、請求項１に係る発明においては、
所定の発射操作により発射された遊技球が遊技盤に設けた始動口に入球することに基づいて当落抽選を行い、該当落抽選の結果に基づいて特別図柄の変動表示を行い、前記当落抽選に当選にして前記特別図柄が所定態様で停止表示すると、所定の利益を付与する遊技機において、
前記当落抽選における当選確率に関する設定値を表示可能な設定値表示手段と、
当該遊技機の電源が投入された際に所定条件が成立した場合に、前記設定値を決定可能な設定モードを発生させる設定モード発生手段と、
前記設定値が新たに決定されることで、前記当落抽選を含んだ遊技の進行を可能にする遊技進行可能化手段と、
を備え、
前記設定値が未確定の状態にて当該遊技機の電源が遮断された場合には、前記設定値が未確定の状態に復帰可能であり、
さらに、当該遊技機の電源が投入された際に所定のクリア操作が行われた場合に、前記設定モードを開始することなく所定の情報をクリアする通常クリア手段を備えた
ことを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の遊技機においては、信頼性の高い遊技機を提供することができる。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御するか否かを決定する判定手段と、
複数の段階からなる段階演出を実行する演出実行手段と、
発光体を発光させる発光手段と、
を備え、
前記演出実行手段は、
前記段階演出の段階が進むほど前記有利状態に制御される期待度が高くなるように前記段階演出を実行し、
前記段階演出の段階の進行に対応して前記発光手段が前記発光体を発光させ、該発光体の発光態様に応じて前記有利状態に制御される期待度が異なり、
前記段階演出は、前記複数の段階のうち一の段階を実行し、該一の段階が視認できない状態となった後に次の段階を実行するが、前記発光手段は、前記段階演出の一の段階に対応した発光体を発光させ前記段階演出の一の段階が視認できない状態の間も前記段階演出の一の段階に対応した発光体の発光を継続させ、次の段階の前記段階演出が実行されると該次の段階の前記段階演出に対応した発光体を発光させる
ことを特徴とする遊技機。
【手続補正２】
【補正対象書類名】明細書
【補正対象項目名】０００６
【補正方法】変更
【補正の内容】
【０００６】
上記課題を解決するために、本願発明は、
始動条件の成立に基づいて抽選を行い、該抽選の結果に基づいて所定の利益を遊技者に付与する遊技機であって、
面部に導光装飾領域が設けられた導光板と、
前記導光板の側部に光を照射して前記導光装飾領域を導光装飾する発光部と、
演出を制御する演出制御手段と、を備え、
前記演出制御手段は、
前記発光部を発光させて前記導光装飾領域を導光装飾させる導光装飾演出を実行する導光装飾演出実行手段と、
前記導光装飾演出にて前記導光装飾領域を導光装飾させた後、該導光装飾領域の導光履歴を継続して通知する履歴演出を実行する履歴演出実行手段と、を有する
ことを特徴とする。
また、上記発明とは別に以下の手段を採用してもよい。
手段１：遊技者にとって有利な有利状態に制御可能な遊技機であって、
前記有利状態に制御するか否かを決定する判定手段と、
複数の段階からなる段階演出を実行する演出実行手段と、
発光体を発光させる発光手段と、
を備え、
前記演出実行手段は、
前記段階演出の段階が進むほど前記有利状態に制御される期待度が高くなるように前記段階演出を実行し、
前記段階演出の段階の進行に対応して前記発光手段が前記発光体を発光させ、該発光体の発光態様に応じて前記有利状態に制御される期待度が異なり、
前記段階演出は、前記複数の段階のうち一の段階を実行し、該一の段階が視認できない状態となった後に次の段階を実行するが、前記発光手段は、前記段階演出の一の段階に対応した発光体を発光させ前記段階演出の一の段階が視認できない状態の間も前記段階演出の一の段階に対応した発光体の発光を継続させ、次の段階の前記段階演出が実行されると該次の段階の前記段階演出に対応した発光体を発光させる
ことを特徴とする遊技機。
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて、抽選情報を取得する抽選情報取得手段と、
前記抽選情報取得手段が取得した抽選情報に基づいて、当りであるかを判定する判定手段と、
所定の開始条件の成立に基づいて、特別図柄変動を実行する特別図柄変動実行手段と、
前記判定手段による判定結果を示唆可能な演出を、前記特別図柄変動実行手段による特別図柄変動期間中に実行する演出実行手段と、を備える遊技機であって、
前記演出実行手段は、段階的発展が可能な第１の演出と、段階的発展が可能な第２の演出と、を実行可能であり、
前記第１の演出及び前記第２の演出は、同じ特別図柄変動において現出可能とされており、
前記第１の演出及び前記第２の演出が現出されて段階的発展が行われると前記当りである期待度合いが向上するようになされており、
前記第１の演出の段階的発展において取り得る段階数は、前記第２の演出の段階的発展において取り得る段階数よりも多いとされており、
前記第１の演出が現出されて段階的発展が行われるタイミングと前記第２の演出が現出されて段階的発展が行われるタイミングは異なるものであり、
前記当りであるかを示す当落演出として、前記当りである期待度合いが低い低期待当落演出と前記当りである期待度合いが高い高期待当落演出とが少なくともあり、
前記第２の演出において所定の段階数に到達した場合、前記高期待当落演出を高頻度で実行するようになされており、
前記第２の演出において段階数が進行した場合、前記当りである期待度合いが高いとされる表示態様にて前記第１の演出が行われ得るようにし、
前記第２の演出において段階数が進行して前記当りである期待度合いが高いとされる表示態様にて行われる前記第１の演出が表示されたあとに、前記当りである期待度合いが高いとされる表示態様にて行われた前記第１の演出が表示された領域に重なるかたちで発光可能な可動体が位置することを可能とし、
前記第２の演出において前記所定の段階数に到達した後に実行される前記高期待当落演出が開始した後には、前記第２の演出における段階的発展を実行しないことを可能とする
ことを特徴とする遊技機。
【手続補正２】
【補正対象書類名】明細書
【補正対象項目名】０００６
【補正方法】変更
【補正の内容】
【０００６】
上記課題を解決するために、本発明は以下の構成を採用する。所定の始動条件の成立に基づいて、抽選情報を取得する抽選情報取得手段と、前記抽選情報取得手段が取得した抽選情報に基づいて、当りであるかを判定する判定手段と、所定の開始条件の成立に基づいて、特別図柄変動を実行する特別図柄変動実行手段と、前記判定手段による判定結果を示唆可能な演出を、前記特別図柄変動実行手段による特別図柄変動期間中に実行する演出実行手段と、を備える遊技機であって、前記演出実行手段は、段階的発展が可能な第１の演出と、段階的発展が可能な第２の演出と、を実行可能であり、前記第１の演出及び前記第２の演出は、同じ特別図柄変動において現出可能とされており、前記第１の演出及び前記第２の演出が現出されて段階的発展が行われると前記当りである期待度合いが向上するようになされており、前記第１の演出の段階的発展において取り得る段階数は、前記第２の演出の段階的発展において取り得る段階数よりも多いとされており、前記第１の演出が現出されて段階的発展が行われるタイミングと前記第２の演出が現出されて段階的発展が行われるタイミングは異なるものであり、前記当りであるかを示す当落演出として、前記当りである期待度合いが低い低期待当落演出と前記当りである期待度合いが高い高期待当落演出とが少なくともあり、前記第２の演出において所定の段階数に到達した場合、前記高期待当落演出を高頻度で実行するようになされており、前記第２の演出において段階数が進行した場合、前記当りである期待度合いが高いとされる表示態様にて前記第１の演出が行われ得るようにし、前記第２の演出において段階数が進行して前記当りである期待度合いが高いとされる表示態様にて行われる前記第１の演出が表示されたあとに、前記当りである期待度合いが高いとされる表示態様にて行われた前記第１の演出が表示された領域に重なるかたちで発光可能な可動体が位置することを可能とし、前記第２の演出において前記所定の段階数に到達した後に実行される前記高期待当落演出が開始した後には、前記第２の演出における段階的発展を実行しないことを可能とすることを特徴とする遊技機。
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
所定の発射操作によって発射された遊技球が流下可能な遊技領域を有する遊技盤を備え、前記遊技領域を流下した遊技球が始動口に入球することに基づいて抽選を行い、該抽選の結果に基づいて特別図柄の変動表示を行い、該抽選の結果が当りの場合に、前記特別図柄を所定の当り態様で停止表示させて遊技者に利益を付与する遊技機において、
前記抽選を含めた主たる遊技の制御を行う主制御手段と、
当該遊技機の電源が投入されるときに特定の管理者操作が行われることに基づいて、前記主制御手段が行う制御に関する設定値を設定可能な設定モードを発生させる設定モード発生手段と、を備え、
前記特別図柄は複数の発光体から構成され、通常の遊技中には前記複数の発光体が所定の発光態様で制御されることによって前記特別図柄の変動表示および停止表示が行われるものであり、
前記設定モード中は、前記抽選を含めた主たる遊技の進行を不能にし、前記特別図柄を構成する前記複数の発光体の全てを、通常の遊技中には表れない全点灯態様あるいは全消灯態様で制御するものであり、
さらに、前記設定値が表示される設定値表示部は、特定のエラー条件が成立した場合に特定エラー表示を行うように構成されてなる
ことを特徴とする遊技機。
【手続補正２】
【補正対象書類名】明細書
【補正対象項目名】０００５
【補正方法】変更
【補正の内容】
【０００５】
しかしながら、設定値を搭載した遊技機は、利便性等について改善の余地があった。
【手続補正３】
【補正対象書類名】明細書
【補正対象項目名】０００６
【補正方法】変更
【補正の内容】
【０００６】
そこで、本発明は、上記した実情に鑑み、設定値を搭載した遊技機の利便性を高めた遊技機の提供を課題とするものである。
【手続補正４】
【補正対象書類名】明細書
【補正対象項目名】０００７
【補正方法】変更
【補正の内容】
【０００７】
上述した目的を達成するために、請求項１に係る発明においては、
所定の発射操作によって発射された遊技球が流下可能な遊技領域を有する遊技盤を備え、前記遊技領域を流下した遊技球が始動口に入球することに基づいて抽選を行い、該抽選の結果に基づいて特別図柄の変動表示を行い、該抽選の結果が当りの場合に、前記特別図柄を所定の当り態様で停止表示させて遊技者に利益を付与する遊技機において、
前記抽選を含めた主たる遊技の制御を行う主制御手段と、
当該遊技機の電源が投入されるときに特定の管理者操作が行われることに基づいて、前記主制御手段が行う制御に関する設定値を設定可能な設定モードを発生させる設定モード発生手段と、を備え、（例えば、段落１３５３の記載参照）
前記特別図柄は複数の発光体から構成され、通常の遊技中には前記複数の発光体が所定の発光態様で制御されることによって前記特別図柄の変動表示および停止表示が行われるものであり、（例えば、段落０６４２〜０６４６の記載参照）
前記設定モード中は、前記抽選を含めた主たる遊技の進行を不能にし、前記特別図柄を構成する前記複数の発光体の全てを、通常の遊技中には表れない全点灯態様あるいは全消灯態様で制御するものであり、（例えば、段落１３６４の記載参照）
さらに、前記設定値が表示される設定値表示部は、特定のエラー条件が成立した場合に特定エラー表示を行うように構成されてなる（例えば、段落１３４７の記載参照）
ことを特徴とする。
【手続補正５】
【補正対象書類名】明細書
【補正対象項目名】０００８
【補正方法】変更
【補正の内容】
【０００８】
上記構成では、設定モード中は、抽選を含めた主たる遊技の進行を不能にし、特別図柄を構成する複数の発光体の全てを、通常の遊技中には表れない全点灯態様あるいは全消灯態様で制御することで、遊技の進行が不能な設定モード中であることを、特別図柄を構成する複数の発光体を通じて外部に容易に認識させることができる。
【手続補正６】
【補正対象書類名】明細書
【補正対象項目名】０００９
【補正方法】変更
【補正の内容】
【０００９】
このように、本発明によれば、設定値を搭載した遊技機の利便性を高めることができる。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
遊技媒体の入賞を検出する入賞検出手段と、
遊技媒体の排出を検出する排出検出手段と、
遊技機に関する軽度の異常または重度の異常を検出する異常検出手段と、
前記入賞検出手段及び前記排出検出手段の検出に基づいて所定の演算を行って更新されるカウンタと、
を備え、
前記異常検出手段が検出した異常が軽度の異常の場合には、前記所定の演算を行って前記カウンタが更新されるが、前記異常検出手段が検出した異常が重度の異常の場合には、前記入賞検出手段及び前記排出検出手段の検出はされるものの前記所定の演算を行うことがなく前記カウンタが更新されない
ことを特徴とする遊技機。
【手続補正２】
【補正対象書類名】明細書
【補正対象項目名】０００２
【補正方法】変更
【補正の内容】
【０００２】
遊技機は、遊技者の操作によって左側から上部へ遊技媒体が打込まれることにより遊技が行われる遊技領域と、遊技領域内に所定のゲージ配列で植設されている複数の障害釘と、遊技領域内において遊技媒体を受入可能とされていると共に遊技媒体の受入れに応じて特典を付与する複数の受入口（一般入賞口、始動口、可変入賞口（可変始動口、大入賞口、役物入賞口）、Ｖ入賞口、等）と、を備えている。そして、遊技媒体が受入口に受入れられると、特典（遊技媒体の払出し、遊技者が有利となる有利遊技状態の発生、等）が付与されるため、遊技者に対して遊技媒体が受入口へ受入られるように、遊技媒体の打込操作を楽しませることができる。
【手続補正３】
【補正対象書類名】明細書
【補正対象項目名】０００３
【補正方法】変更
【補正の内容】
【０００３】
この種の遊技機では、遊技領域内に打込まれた遊技媒体の数（全球数）と、受入口（入賞口）に遊技媒体が受入れられることで払出された遊技媒体の数（セーフ球の数）と、から払出率（出玉率）を算出して、遊技機の状態を管理するようにしている。遊技領域内に打込まれた遊技媒体の数のカウントは、遊技領域を備えている遊技盤の下端に、入賞口に受入れられて遊技領域外へ排出された遊技媒体と、遊技領域内に打込まれたものの入賞口に受入れられずにアウト口から遊技領域外へ排出された遊技媒体とを、纏めて遊技機が設置されている遊技ホールの島設備側へ排出する排出部に、遊技媒体を検知するアウト検知センサを設けてカウントするようにしている（例えば、特許文献１）。
【手続補正４】
【補正対象書類名】明細書
【補正対象項目名】０００４
【補正方法】変更
【補正の内容】
【０００４】
【特許文献１】特開２０１７−８００４７号公報
【手続補正５】
【補正対象書類名】明細書
【補正対象項目名】０００５
【補正方法】変更
【補正の内容】
【０００５】
しかしながら、特許文献１のような技術では、入賞口に受入れられた遊技媒体と、アウト口に受入れられた遊技媒体とを、検知するとカウントを行うため遊技機に異常が発生している状況も含めていカウントすることとなり、設計上意図しない結果が算出される恐れがあった。
【手続補正６】
【補正対象書類名】明細書
【補正対象項目名】０００６
【補正方法】変更
【補正の内容】
【０００６】
そこで、本発明は、上記の実情に鑑み、センサを設けてカウントされる値と設計値との乖離を抑制することを課題とするものである。
【手続補正７】
【補正対象書類名】明細書
【補正対象項目名】０００７
【補正方法】変更
【補正の内容】
【０００７】
上記課題を解決するために、本願発明は、
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
上記した目的を達成するために、請求項１に係る発明においては、
所定の始動条件の成立に基づいて抽選を行い、該抽選の結果に基づいて図柄の変動表示を行い、該図柄の変動表示の結果として当り図柄が停止表示された場合に所定の当り遊技を実行する遊技機において、
所定の設定操作部に対する操作に基づいて、遊技に関する設定情報を複数のうちのいずれかに決定可能な設定決定手段と、
前記図柄の変動表示に係る変動時間を決定する変動時間決定手段と、
前記図柄の変動表示結果として所定の小当り図柄が停止表示されることで、所定の可変入賞装置を開状態にする小当り遊技を実行する小当り遊技実行手段と、
前記小当り遊技にて前記可変入賞装置の内部に入球した遊技球が所定領域を通過することで、当該小当り遊技よりも遊技者に有利な大当り遊技を実行する大当り遊技実行手段と、
前記大当り遊技の終了後、通常の遊技状態よりも変動時間が相対的に短い特定遊技状態に制御する遊技状態制御手段と、
を備え、
前記設定情報のうちの第１の設定情報には、前記小当り図柄が停止表示される確率として第１の確率が対応付けられ、前記設定情報のうちの第２の設定情報には、前記小当り図柄が停止表示される確率として前記第１の確率よりも高い第２の確率が対応付けられており、
前記設定決定手段により前記第２の設定情報が決定された場合には、前記設定決定手段により前記第１の設定情報が決定された場合よりも、前記変動時間決定手段により決定される前記特定遊技状態での変動時間の平均時間が長くなるようにした
ことを特徴とする。
また、上記発明とは別に以下の手段を採用してもよい。
手段１：遊技媒体の入賞を検出する入賞検出手段と、
遊技媒体の排出を検出する排出検出手段と、
遊技機に関する軽度の異常または重度の異常を検出する異常検出手段と、
前記入賞検出手段及び前記排出検出手段の検出に基づいて所定の演算を行って更新されるカウンタと、
を備え、
前記異常検出手段が検出した異常が軽度の異常の場合には、前記所定の演算を行って前記カウンタが更新されるが、前記異常検出手段が検出した異常が重度の異常の場合には、前記入賞検出手段及び前記排出検出手段の検出はされるものの前記所定の演算を行うことがなく前記カウンタが更新されない
ことを特徴とする遊技機。
【手続補正８】
【補正対象書類名】明細書
【補正対象項目名】０００９
【補正方法】変更
【補正の内容】
【０００９】
本発明によれば、センサを設けてカウントされる値と設計値との乖離を抑制することができる。